(57)【特許請求の範囲】
【請求項１】
撮影に係るシーンが指定されることにより、指定された指定シーンの特性に応じた処理が可能なデジタルカメラであって、
(a)被写体に関する画像データを生成する撮像手段と、
(b)前記指定シーンに基づき、前記画像データに係るファイル名を設定する設定手段と、
を備えるとともに、
前記設定手段は、
(b-1)前記シーンと前記シーンに対応付けられた文字情報とで構成される対応テーブルに基づいて、前記指定シーンに対応する前記文字情報を前記ファイル名に与える手段、を有し、
前記対応テーブルは、前記デジタルカメラに装着可能で可搬性を有する記録媒体に格納され、
前記デジタルカメラに対する前記記録媒体の装着時に前記対応テーブルが読み込まれるとともに、
撮影時には前記指定シーンに基づき自動的に前記ファイル名が設定され、設定されたファイル名で前記画像データが前記記録媒体に記録されることを特徴とするデジタルカメラ。
【請求項２】
撮影に係るシーンが指定されることにより、指定された指定シーンの特性に応じた処理が可能なデジタルカメラであって、
(a)被写体に関する画像データを生成する撮像手段と、
(b)前記画像データを、前記指定シーンに係る名称を有するフォルダに格納する格納手段と、
(c)前記シーンと前記シーンに対応付けられた文字情報とで構成される対応テーブルに基づいて、前記指定シーンに対応する前記文字情報を前記名称に与える手段と、
を備えるとともに、
前記対応テーブルは、前記デジタルカメラに装着可能で可搬性を有する記録媒体に格納され、
前記デジタルカメラに対する前記記録媒体の装着時に前記対応テーブルが読み込まれ、前記対応テーブルに基づき前記フォルダが作成されるとともに、
撮影時には前記指定シーンに基づき、作成されたフォルダ内に前記画像データが記録されることを特徴とするデジタルカメラ。
【発明の詳細な説明】
【０００１】
【発明の属する技術分野】
本発明は、撮影に係るシーンが指定されることにより、指定されたシーンの特性に応じた処理が可能なデジタルカメラに関する。
【０００２】
【従来の技術】
デジタルカメラにおいては、撮影された画像データが画像ファイルとして記録されるが、その画像ファイル名は、予め定められたルールに従い、例えば不変の文字情報「画像」に番号が付加されたものとして設定される（図１３の従来例を参照）。そのため、このような複数の画像ファイルを後で取扱う際に、ファイル名を確認するだけでは、撮影した内容が全く分からないという問題が発生する。
【０００３】
この問題を解消するには、画像ファイルの一部の領域に撮影条件等を記述する方法がある。しかし、画像の内容を知るためには、一々専用のアプリケーションソフトを使用しなければならず、ユーザにとって面倒である。
【０００４】
そこで、画像ファイル名のみで撮影の内容を識別させようとする試みが行われている。例えば、特開２０００−１９６９８３公報には、デジタルカメラに設けられたキー入力手段で、ファイル名を設定する技術が開示されている。また、特開２０００−３４１５６９公報には、音声でファイル名を設定する技術が開示されている。
【０００５】
【発明が解決しようとする課題】
しかしながら、上記のキー入力によるファイル名設定では、デジタルカメラのサイズや限られたユーザインターフェースを考慮すると、操作性に問題があり、簡易にファイル名を設定するのが困難である。
【０００６】
一方、上記の音声によるファイル名設定では、ユーザインタフェースに関してはキー入力より改善が図れるが、ユーザは任意に音声で入力できるため、同様の被写体に対して、関連性のない全く異なるファイル名として設定されてしまう場合もある。具体的には、特定人物の撮影に関して、その人物の名前、例えば「Ａさん」と音声で設定される場合や、撮影場所、例えば「富士山にて」と音声で設定される場合あるため、ファイル名の統一が図れなくなってしまう。これにより、後々に画像ファイルを検索したり整理する際に、作業効率が低下する弊害が生じることとなる。
【０００７】
本発明は、上記課題に鑑みてなされたものであり、検索や管理が容易となるような画像ファイルの記録を簡易に行えるデジタルカメラを提供することを目的とする。
【０００８】
【課題を解決するための手段】
上記の課題を解決するため、請求項１の発明は、撮影に係るシーンが指定されることにより、指定された指定シーンの特性に応じた処理が可能なデジタルカメラであって、(a)被写体に関する画像データを生成する撮像手段と、(b)前記指定シーンに基づき、前記画像データに係るファイル名を設定する設定手段とを備えるとともに、前記設定手段は、(b-1)前記シーンと前記シーンに対応付けられた文字情報とで構成される対応テーブルに基づいて、前記指定シーンに対応する前記文字情報を前記ファイル名に与える手段を有し、前記対応テーブルは、前記デジタルカメラに装着可能で可搬性を有する記録媒体に格納され、前記デジタルカメラに対する前記記録媒体の装着時に前記対応テーブルが読み込まれるとともに、撮影時には前記指定シーンに基づき自動的に前記ファイル名が設定され、設定されたファイル名で前記画像データが前記記録媒体に記録される。
【０００９】
また、請求項２の発明は、撮影に係るシーンが指定されることにより、指定された指定シーンの特性に応じた処理が可能なデジタルカメラであって、(a)被写体に関する画像データを生成する撮像手段と、(b)前記画像データを、前記指定シーンに係る名称を有するフォルダに格納する格納手段と、(c)前記シーンと前記シーンに対応付けられた文字情報とで構成される対応テーブルに基づいて、前記指定シーンに対応する前記文字情報を前記名称に与える手段とを備えるとともに、前記対応テーブルは、前記デジタルカメラに装着可能で可搬性を有する記録媒体に格納され、前記デジタルカメラに対する前記記録媒体の装着時に前記対応テーブルが読み込まれ、前記対応テーブルに基づき前記フォルダが作成されるとともに、撮影時には前記指定シーンに基づき、作成されたフォルダ内に前記画像データが記録される。
【００１３】
【発明の実施の形態】
＜第１実施形態＞
＜デジタルカメラの要部構成＞
図１は、本発明の第１実施形態に係るデジタルカメラ１Ａの斜視図である。また、図２は、デジタルカメラ１Ａの背面図である。
【００１４】
デジタルカメラ１Ａは、その正面に、被写体像を撮像素子１０（破線部）に結像させる撮影レンズ１１と、ユーザが被写体を視認するためのファインダ窓１２ａとが設けられている。撮像素子１０は、例えばＣＣＤ（Ｃｈａｒｇｅ  Ｃｏｕｐｌｅｄ  Ｄｅｖｉｃｅ）を有し、撮影レンズ１１によって結像された光学像を電気信号に変換する。
【００１５】
デジタルカメラ１Ａは、その上面に、ユーザが撮影を指示するためのレリーズボタン１３と、２つの撮影モード設定キー１４と、撮影に関する表示を行う液晶パネル１５とを備えるとともに、その側面に、可搬性を有する記録媒体として機能するメモリカード９を挿入するための挿入口１６が設けられている。
【００１６】
これらの撮影モード設定キー１４の操作により、液晶モニタ１７（後述）の画面表示を視認しつつ、絞り優先、シャッタースピード優先などの露光条件の設定や、マクロ撮影の切替え、ズームなどの設定を行えることとなる。
【００１７】
また、デジタルカメラ１Ａは、その背面に、正面のファインダ窓１２ａに対応するファインダ窓１２ｂと、撮像素子１０で生成される画像データ等を表示する液晶モニタ１７と、シーン設定キー１８とを備えている。
【００１８】
このシーン設定キー１８は、ユーザが撮影状況に応じて、複数のシーン（例えば「シーン設定なし」、「人物」、「風景」、「夜景」）から１つのシーンを選択するためのボタンである。この選択操作では、シーン選択キー１８が押下される毎に選択対象のシーンが切替えられ、所望のシーンが指定される。そして、指定されたシーンに基づき、デジタルカメラ１Ａの絞りやシャッター速度その他の設定が行われ、撮影状況を適切に反映する撮影ができることとなる。すなわち、指定された指定シーンの特性に応じた撮影処理や画像処理が可能となる。
【００１９】
図３は、デジタルカメラ１Ａの機能ブロックを示す図である。
【００２０】
撮像処理部２１は、撮像素子１０から出力されたアナログ画像信号を、Ａ／Ｄ変換してデジタル信号に変換するとともに、ホワイトバランス補正、補間処理、階調変換、圧縮などの撮像処理を行い、被写体に関する画像データを生成する。ここでは、シーン設定キー１８により設定されたシーンの特性を反映する画像処理も施される。
【００２１】
シーン判別部２２は、シーン設定キー１８がユーザにより操作され、どのシーンが選択されたかを判別するための部位である。
【００２２】
カードＩ／Ｆ２５は、挿入口１６に装填されたメモリカード９との間で信号の受け渡しを行うインタフェースである。
【００２３】
メモリカード９には、図４に示すような対応テーブル（情報テーブル）ＴＢが格納されている。この対応テーブルＴＢは、シーン設定キー１８によって選択可能な各シーンの名称Ｍ１（例えば「人物」、「風景」、「夜景」）と、これらに対応付けられた文字情報Ｍ２（例えば「友人」、「山」、「港」）とで構成されている。文字情報Ｍ２は、デジタルカメラ１Ａやパーソナルコンピュータ等の情報処理装置において、ユーザによるキー操作等により任意に設定可能となっている。
【００２４】
ＣＰＵ２０は、上記の各部と有機的に結合し、デジタルカメラ１Ａを統括的に制御する。なお、ＣＰＵ２０で実行されるデジタルカメラ１Ａの動作に必要なプログラムは、不揮発メモリ２４に格納されており、処理途中におけるデータは一時メモリ２３に格納される。
【００２５】
上記対応テーブルＴＢに関して、デジタルカメラ１Ａで撮影される「人物」が常に「友人」というわけではないが、メモリカード９におけるテーブルＴＢ中の文字情報Ｍ２を任意に入力可能としているため、種々の状況に対応できる。
【００２６】
すなわち、たとえば「友人と登山をする」というような事情があらかじめわかっている場合には、メモリカード９の対応テーブルＴＢとして、「人物−友人」、「風景−山」・・のような対応関係をあらかじめ入力して設定しておく。また、撮影対象が予想しにくい場合には、一連の撮影を始める直前にテーブルＴＢの内容をデジタルカメラ１Ａ自身のキーから入力することができる。
【００２７】
一方、複数枚のメモリカード９を携帯する場合には、異なる対応テーブルＴＢをあらかじめそれぞれのメモリカードに記憶しておけば、それらを選択的にデジタルカメラに装着することにより、それぞれの状況に合致した対応テーブルを参照できる。たとえば、第１のメモリカードの対応テーブルＴＢに「人物−友人」、「風景−山」・・という第１の対応関係を記憶しておく一方で、第２のメモリカードの対応テーブルＴＢに「人物−家族」、「風景−町中」・・という第２の対応関係を記憶しておく。そして、実際の撮影状況に応じて、これらの複数のメモリカードの中からそのときの状況に合致したメモリカードを選択してデジタルカメラに装着して使用する。シーンと実際の被写体との対応関係は理論上は無限にあるが、それぞれのユーザを考えると、特定の時期に撮影を行う対象の種類はそれほど多くないことが通例であるため、撮影頻度が多いと予想される対応関係をあらかじめ記録したメモリカードを準備しておけば、多くの状況に対応可能である。
【００２８】
また、メモリカード９として書き換え可能なメモリが使用されており、上記テーブルＴＢも任意に書き換え可能である。したがって、一連の撮影によって画像データを取得し、それをコンピュータなどに転送した後には、テーブルＴＢを新たに書き換えて使用することもできる。
【００２９】
以上の事情は、後述する第２、第３の実施形態でも同様である。
【００３０】
＜デジタルカメラ１Ａの動作＞
図５は、デジタルカメラ１Ａの基本的な動作を説明するフローチャートである。
【００３１】
デジタルカメラ１Ａの電源がユーザによりオンされると、デジタルカメラ１Ａの初期化を行うとともに、メモリカード９に記憶されている画像ファイルからファイル名情報をダウンロードし、不揮発メモリ２４に格納する（ステップＳＴ１）。この際には、図４に示す対応テーブルＴＢの情報もメモリカード９からダウンロードされ、不揮発メモリ２４に格納される。
【００３２】
ステップＳＴ２では、撮影モード設定キー１４による各種の設定や、シーン設定キー１８によるシーンの設定を行うユーザの操作を受付ける。ここで、シーン設定キー１８によりシーンの設定が行われた場合には、シーンの選択情報が一時メモリ２３に格納されることとなる。
【００３３】
ステップＳＴ３では、ユーザによりレリーズボタン１３が半押し（Ｓ１）されたかを判定する。ここで、レリーズボタン１３が半押しされた場合には、ステップＳＴ４に進み、半押しされていない場合には、ステップＳＴ２に戻る。
【００３４】
ステップＳＴ４では、被写体に対する測距や測光などの撮影準備を行う。
【００３５】
ステップＳＴ５では、ユーザによりレリーズボタン１３が全押し（Ｓ２）されたかを判定する。ここで、レリーズボタン１３が全押しされた場合には、ステップＳＴ６に進み、全押しされていない場合には、ステップＳＴ４に戻る。
【００３６】
ステップＳＴ６では、撮像素子１０で被写体の画像信号が生成され、その画像信号に対して撮像処理部２１で撮像処理を行う。そして、処理された画像データを一時メモリ２３に記憶する。
【００３７】
ステップＳＴ７ａでは、取得された画像データのファイル名を作成する（後述）。
【００３８】
ステップＳＴ８では、ステップＳＴ７ａで設定されたファイル名で、一時メモリ２３内の画像データがメモリカード９に記録される。
【００３９】
図６は、上記のステップＳＴ７に対応するファイル名作成の動作を説明するフローチャートである。
【００４０】
ステップＳＴ１１では、ユーザによるシーン設定キー１８の操作によって、シーン設定がされているかを判定する。ここで、シーン設定がされている場合には、ステップＳＴ１２に進み、シーン設定がされていない場合には、ステップＳＴ１４に進む。
【００４１】
ステップＳＴ１２では、ユーザにより選択されたシーンをシーン判別部２２で判別する。すなわち、ステップＳＴ２でシーン設定が行われている場合には、一時メモリ２３に選択情報が格納されているため、この選択情報に基づき選択シーンを判別する。
【００４２】
ステップＳＴ１３では、画像データのファイル名を仮設定する。仮設定されるファイル名は、対応テーブルＴＢを参照して得られる選択シーンに係る文字情報と、撮影順に付される連番との組合せとなっている。具体的には、ユーザにより選択されたシーンが「風景」であれば、対応テーブルＴＢから「風景」に対応する文字情報「山」が選ばれる。そして、ファイル名として、この文字情報「山」に番号ｎ（ｎ＝１）を付加した「山００１．ｊｐｇ」が設定されることとなる。
【００４３】
ステップＳＴ１４では、ステップＳＴ１３と同様にファイル名を仮設定するが、ユーザによりシーンが設定されていないため、画像データのファイル名は、デフォルトで設定されている文字情報「画像」に番号ｎ（ｎ＝１）を付加した「画像００１．ｊｐｇ」が設定されることとなる。
【００４４】
ステップＳＴ１５では、ステップＳＴ１で不揮発メモリ２４にダウンロードされたファイル名と、ステップＳＴ１３またはステップＳＴ１４で仮設定されたファイル名とを比較する。
【００４５】
ステップＳＴ１６では、仮設定されたファイル名と同じファイル名が、不揮発メモリ２４内に存在するかを判定する。ここで、不揮発メモリ２４内に同じファイル名が存在する場合には、ステップＳＴ１７に進み、同じファイル名が存在しない場合には、ステップＳＴ１８に進む。
【００４６】
ステップＳＴ１７では、仮設定されたファイル名のうち番号ｎの部分について、番号を１つ増加、すなわちｎ←ｎ＋１にするようにファイル名を変更する。
【００４７】
以上のステップＳＴ１５〜ＳＴ１７の動作を、仮設定したファイル名と同じファイル名が不揮発メモリ２４に存在しなくなるまで繰り返す。これにより、ファイル名のうち番号ｎの部分が連番となるため、撮影順が把握でき、検索がより容易となる。
【００４８】
ステップＳＴ１８では、以上のファイル名作成動作によりステップＳＴ５の撮影動作による画像データを記録する際のファイル名を不揮発メモリ２４に追加する。
【００４９】
このようなファイル名作成の動作を行うことにより、例えば図１３の第１実施例に示すように、画像データのファイル名が設定されることとなる。
【００５０】
以上のデジタルカメラ１Ａの動作により、ユーザが指定したシーンの選択情報をファイル名に反映するため、ユーザの意図したファイル名で画像データを簡易に記録できるとともに、ファイル名から画像の内容が把握できることとなる。その結果、画像ファイルを一々開いて撮影内容を確認する作業が不要となるため、ユーザがメモリカード９内の画像ファイルの検索や整理を容易に行える。
【００５１】
＜第２実施形態＞
＜デジタルカメラの要部構成＞
図７は、本発明の第２実施形態に係るデジタルカメラ１Ｂの斜視図である。また、図８は、デジタルカメラ１Ｂの背面図である。
【００５２】
デジタルカメラ１Ｂは、第１実施形態のデジタルカメラ１Ａと類似の構成となっているが、音声入力キー３１と、音声入力キー３１の押下によって有効となる音声入力用のマイク３２とが付加されている。
【００５３】
図９は、デジタルカメラ１Ｂの機能ブロックを示す図である。
【００５４】
デジタルカメラ１Ｂは、図３に示すデジタルカメラ１Ａの機能ブロックに対して、上記のマイク３２を有する音声入力部３３と、音声入力部３３に入力された音声を認識処理する音声認識部３４とが付加されている。これにより、音声認識部３４での音声認識結果を、画像データのファイル名に反映できることとなる。
【００５５】
＜デジタルカメラ１Ｂの動作＞
デジタルカメラ１Ｂの基本的な動作は、第１実施形態のデジタルカメラ１Ａとほぼ同様であるが、図５のフローチャートに示すファイル名作成（ステップＳＴ７）の動作が異なっている。以下では、デジタルカメラ１Ｂにおけるファイル名作成の動作を説明する。なお、本動作では、説明の便宜上、シーン設定キー１８によってユーザによりシーンが選択されているものとする。
【００５６】
図１０は、図５のステップＳＴ７ｂに対応するファイル名作成の動作を説明するフローチャートである。
【００５７】
ステップＳＴ２１では、ステップＳＴ１２と同様に、ユーザにより選択されたシーンをシーン判定部２２で判別する。
【００５８】
ステップＳＴ２２では、ユーザによる音声入力キー３１の押下によって、音声入力設定がされているかを判定する。ここで、音声入力設定がされている場合には、ステップＳＴ２３に進み、音声入力設定がされていない場合には、ステップＳＴ２５に進む。
【００５９】
ステップＳＴ２３では、マイク３１に入力された音声に対して、音声認識部３４で音声認識を行う。ここでは、ユーザは画像データのファイル名に含ませたい言葉を入力し、音声認識された音声情報、例えば「富士山」を一時メモリ２３に記憶する。
【００６０】
ステップＳＴ２４では、画像データのファイル名を仮設定する。ここでは、対応テーブルＴＢ（図４）を参照し、ステップＳＴ２１で判別された選択シーンに対応する文字情報Ｍ２と、ステップＳＴ２３で入力され一時メモリ２３に格納されている音声情報とを組合せて、ファイル名が仮設定される。具体的には、選択シーンが「風景」であれば、対応テーブルＴＢから「風景」に対応する「山」が選ばれる。そして、ファイル名として、この「山」と音声情報「富士山」を表現した文字列とからなる文字情報に番号ｎ（ｎ＝１）が付加された「山＿富士山００１．ｊｐｇ」が設定されることとなる。
【００６１】
ステップＳＴ２５では、ステップＳＴ２４と同様にファイル名を仮設定するが、音声入力がないため、対応テーブルＴＢを参照して得られる文字情報Ｍ２に番号ｎ（ｎ＝１）が付加されたファイル名が仮に設定されることとなる。
【００６２】
ステップＳＴ２６〜ＳＴ２９では、図６に示すステップＳＴ１５〜ＳＴ１８と同様の動作を行う。
【００６３】
このようなファイル名作成の動作を行うことにより、例えば図１３の第２実施例に示すように、画像データのファイル名が設定されることとなる。
【００６４】
以上のデジタルカメラ１Ｂの動作により、第１実施形態のデジタルカメラ１Ａと同様の効果を発揮する。また、ファイル名について、選択シーンとともに、ユーザによって入力された音声情報を反映できるため、画像ファイルの整理や検索を、さらに容易に行えることとなる。
【００６５】
＜第３実施形態＞
本発明の第３実施形態に係るデジタルカメラ１Ｃは、図１〜図３に示す第１実施形態のデジタルカメラ１Ａと類似の構成を有しているが、第１実施形態と異なる次の動作を行う不揮発メモリ２４内のプログラムの内容が異なっている。
【００６６】
＜デジタルカメラ１Ｃの動作＞
図１１は、デジタルカメラ１Ｃの基本的な動作を説明するフローチャートである。
【００６７】
ステップＳＴ３１では、図５に示すステップＳＴ１と同様の動作を行う。
【００６８】
ステップＳＴ３２では、図１２に示すように、図４に示す対応テーブルＴＢの文字情報Ｍ２（「友人」、「山」、「港」）の名称を持つ３つのフォルダＦａ、Ｆｂ、Ｆｃを、メモリカード９内に作成する。
【００６９】
ステップＳＴ３３〜ＳＴ３７では、図５のフローチャートに示すステップＳＴ２〜ＳＴ６と同様の動作を行う。
【００７０】
ステップＳＴ３８では、図６に示すステップＳＴ１２と同様に、ユーザにより選択されたシーンをシーン判別部２２で判別する。
【００７１】
ステップＳＴ３９では、選択シーンに応じて、画像データをメモリカード９内のフォルダに格納する。すなわち、画像データのファイル名を変更せずにデフォルトの「画像ｎ．ｊｐｇ」を、選択シーンに関する名称を持つフォルダに保存する。具体的には、選択シーンが「風景」であれば、対応テーブルＴＢ（図４）を参照し、「風景」に対応する「山」の名称を有するフォルダＦｂに格納されることとなる。
【００７２】
これにより、撮影で生成された画像ファイル（「画像００１．ｊｐｇ」，「画像００２．ｊｐｇ」，・・）が、図１２に示すように、選択シーンを表す名称のフォルダに順次に格納されることとなる。
【００７３】
以上のデジタルカメラ１Ｃの動作により、ユーザが指定したシーンに係る名称のフォルダに画像データを格納するため、ユーザの意図した名称のフォルダ内に画像データを簡易に記録できるとともに、フォルダ名から画像の内容が概略把握できる。その結果、画像ファイルを一々開いて内容を確認する作業が不要となるため、ユーザがメモリカード９内の画像ファイルの整理や検索を容易に行える。
【００７４】
＜変形例＞
◎上記の各実施形態のデジタルカメラにおいては、ユーザによって手動でシーンが指定されることは必須でなく、複数のシーンの中から適切なシーンが自動的に指定される構成でも良い。この場合には、撮像素子で生成された画像データに基づき、例えば輝度と画素数と関係を表すヒストグラムを作成し、そのヒストグラムの特性を解析して「風景」や「夜景」などのシーンが判別されることとなる。
【００７５】
◎上記の各実施形態においては、対応テーブルＴＢに基づいてファイル名を決定するのは必須でなく、選択された指定シーンをそのままファイル名として利用しても良い。
【００７６】
◎上記の各実施形態の対応テーブルについては、メモリカード内に格納するのは必須でなく、デジタルカメラ内のフラッシュＲＯＭ等に格納しても良い。
【００７７】
◎本発明におけるフォルダとは、記録媒体において画像ファイル等を格納する場所を提供するものであり、同様の機能を有するディレクトリについても、これに実質的に含まれることとなる。
【００７８】
【発明の効果】
以上説明したように、請求項１の発明によれば、指定された指定シーンに基づき画像データに係るファイル名を設定するため、検索や管理が容易となるような画像ファイルの記録を簡易に行える。特に、シーンとシーンに対応付けられた文字情報とで構成される対応テーブルに基づいて、指定シーンに対応する文字情報をファイル名に与えるため、画像ファイルの検索や管理が一層容易となる。また、対応テーブルがデジタルカメラに装着可能で可搬性を有する記録媒体に記録されるため、デジタルカメラ以外の情報処理装置等において情報テーブルの利用が容易となる。
【００７９】
また、請求項２の発明によれば、画像データを指定シーンに係る名称を有するフォルダに格納するため、検索や管理が容易となるような画像ファイルの記録を簡易に行える。特に、シーンとシーンに対応付けられた文字情報とで構成される対応テーブルに基づいて、指定シーンに対応する文字情報をフォルダの名称に与えるため、画像ファイルの検索や管理が一層容易となる。また、対応テーブルがデジタルカメラに装着可能で可搬性を有する記録媒体に記録されるため、デジタルカメラ以外の情報処理装置等において情報テーブルの利用が容易となる。
【図面の簡単な説明】
【図１】本発明の第１実施形態に係るデジタルカメラ１Ａの斜視図である。
【図２】デジタルカメラ１Ａの背面図である。
【図３】デジタルカメラ１Ａの機能ブロックを示す図である。
【図４】対応テーブルＴＢを説明するための図である。
【図５】デジタルカメラ１Ａの基本的な動作を説明するフローチャートである。
【図６】ファイル名作成の動作を説明するフローチャートである。
【図７】本発明の第２実施形態に係るデジタルカメラ１Ｂの斜視図である。
【図８】デジタルカメラ１Ｂの背面図である。
【図９】デジタルカメラ１Ｂの機能ブロックを示す図である。
【図１０】ファイル名作成の動作を説明するフローチャートである。
【図１１】デジタルカメラ１Ｃの基本的な動作を説明するフローチャートである。
【図１２】メモリカード９内のフォルダＦａ、Ｆｂ、Ｆｃを説明するための図である。
【図１３】画像ファイル名の例を示す図である。
【符号の説明】
１Ａ、１Ｂ、１Ｃ  デジタルカメラ
９  メモリカード
１０  撮像素子
１８  シーン設定キー
２２  シーン判別部
３１  音声入力キー
３２  マイク
３４  音声認識部
ＴＢ  対応テーブル
【図１】
0003601478.tif 000002
【図２】
0003601478.tif 000003
【図３】
0003601478.tif 000004
【図４】
0003601478.tif 000005
【図５】
0003601478.tif 000006
【図６】
0003601478.tif 000007
【図７】
0003601478.tif 000008
【図８】
0003601478.tif 000009
【図９】
0003601478.tif 000010
【図１０】
0003601478.tif 000011
【図１１】
0003601478.tif 000012
【図１２】
0003601478.tif 000013
【図１３】
0003601478.tif 000014